(57)【要約】【課題】  インモールド成形により、容器支持枠、または容器本体に、タブを設けた紙製カバー体を貼着し、タブを引張ることにより、カバー体を容器支持枠、または容器本体から簡単に剥離できるようにした容器を提供すること。【解決手段】  支持枠とカバー体とからなる容器であって、支持枠は、合成樹脂によって成形され、上枠と、支柱と、底壁を具えた底枠とからなり、カバー体は、紙を主材料として形成され、インモールド成形によりその側端縁が支柱に貼着され、カバー体の一方の側端縁にタブが設けられ、他方の側端縁に重ね合わされており、上端縁と下端縁が、それぞれ上枠の側周壁と底枠の側周壁に貼着されていることを特徴とする。【選択図】  図１
2007297064.tif 000002
【特許請求の範囲】
【請求項１】
支持枠とカバー体とからなる容器であって、
支持枠は、合成樹脂によって成形され、上枠と、支柱と、底壁を具えた底枠とからなり、
カバー体は、紙を主材料として形成され、インモールド成形によりその側端縁が支柱に貼着され、カバー体の一方の側端縁にタブが設けられ、他方の側端縁に重ね合わされており、上端縁と下端縁が、それぞれ上枠の側周壁と底枠の側周壁に貼着されていることを特徴とする紙製のカバー体を貼着した容器。
【請求項２】
支柱が、中央に形成された突条と、広巾の接着部とからなっていることを特徴とする請求項１記載の紙製のカバー体を貼着した容器。
【請求項３】
合成樹脂によって成形された容器本体と、容器本体の外周に貼着されたカバー体とからなる容器であって、
カバー体は、紙を主材料として形成され、インモールド成形によりその側端縁が容器本体に貼着されて、カバー体の一方の側端縁にタブが設けられ、該タブは、他方の側端縁に重ね合わされていることを特徴とする紙製のカバー体を貼着した容器。
【請求項４】
合成樹脂が、透明、または半透明の材料をもって成形され、
カバー体の側端縁との間に一定の隙間を設けられて、容器内部の状態を視認可能としていることを特徴とする請求項１〜３記載の紙製のカバー体を貼着した容器。
【発明の詳細な説明】
【技術分野】
【０００１】
本発明は、容器の支持枠に紙製のカバー体を装着し、分別廃棄可能とした容器に関するものである。
【背景技術】
【０００２】
合成樹脂により成形した容器本体の胴壁に、紙により形成したカバー体をインモールド成形により剥離可能に貼着し、容器の廃棄の際にカバー体を容器本体から外して分別廃棄を行うようにした二重容器は、従来より知られている（例えば、特許文献１参照）。
【特許文献１】実用新案登録第２５９３３７５号公報
【発明の開示】
【発明が解決しようとする課題】
【０００３】
しかしながら、上記特許文献１記載の二重容器では、分別廃棄するために容器本体（第一の容器体１）からカバー体（第二の容器体２）を外す際に、カバー体から剥離可能部６をミシン目７を介して引き裂いて外し、次いで、カバー体の残部を剥がすため、剥離に手間どり、分別が簡単でないという問題があった。
また、容器内の内容物が熱いものである場合は、容器を手で保持できるようにするために、カバー体の厚さをある程度厚いものにする必要があり、そうした場合には、剥離可能部６を引き裂く際に強い力が必要となった。
【０００４】
また、合成樹脂製の容器本体に紙製のカバー体を貼着して二重容器としているので、一般の０．紙製容器等に比してコスト高になるという問題があった。
【０００５】
本発明は、上記の問題を解決することを課題として、インモールド成形により、容器支持枠、または容器本体に、タブを設けた紙製カバー体を貼着し、タブを引張ることにより、カバー体を容器支持枠、または容器本体から簡単に剥離できるようにした容器を提供することを目的とする。
【課題を解決するための手段】
【０００６】
本発明は、上記の課題を解決するため、紙製のカバー体を貼着した容器として、支持枠とカバー体とからなる容器であって、支持枠は、合成樹脂によって成形され、上枠と、支柱と、底壁を具えた底枠とからなり、カバー体は、紙を主材料として形成され、インモールド成形によりその側端縁が支柱に貼着され、カバー体の一方の側端縁にタブが設けられ、他方の側端縁に重ね合わされており、上端縁と下端縁が、それぞれ上枠の側周壁と底枠の側周壁に貼着されていることを特徴とする構成を採用する。
【０００７】
支柱の実施例として、支柱が、中央に形成された突条と、広巾の接着部とからなっていることを特徴とする構成を採用する。
【０００８】
容器の別実施例として、合成樹脂によって成形された容器本体と、容器本体の外周に貼着されたカバー体とからなる容器であって、カバー体は、紙を主材料として形成され、インモールド成形によりその側端縁が容器本体に貼着されて、カバー体の一方の側端縁にタブが設けられ、該タブは、他方の側端縁に重ね合わされていることを特徴とする構成を採用する。
【０００９】
容器内部を視認するため、合成樹脂が、透明、または半透明の材料をもって成形され、カバー体の側端縁との間に一定の隙間を設けられて、容器内部の状態を視認可能としていることを特徴とする構成を採用する。
【発明の効果】
【００１０】
本発明は、合成樹脂で形成された容器支持枠と、支持枠に貼着される紙を主材料としたカバー体とからなる容器において、カバー体の端部下端にタブを設けて、容器支持枠にカバー体をインモールド成形によって貼着し、容器廃棄時には、タブを引張ることによって、容器支持枠からカバー体を外せるので、分別廃棄が簡単にできる。
また、容器支持枠の重量が少ないので、紙が５０％以上の場合は紙として分類され、そのまま廃棄することもできるようになった。
【００１１】
また、容器使用中は、容器の上部に把手を設けているので、カバー体を手で直接把持しなくても容器を保持できるようになり、カバー体の厚さも必要最低限に薄くすることができる。
さらに、容器支持枠を、透明または半透明な合成樹脂で形成し、カバー体の側端縁の間に一定巾の隙間が設けられていることにより、容器外から容器内を視認することができるようになった。
【発明を実施するための最良の形態】
【００１２】
次に、本発明の容器の実施形態について、実施例をあげ、図面を参照して説明する。
【実施例１】
【００１３】
図１に示すように、本発明の容器は、容器支持枠Ａと、容器支持枠Ａとインモールド成形によって一体化され、容器の外壁を形成するカバー体Ｂによって構成されている。
【００１４】
図２、３に示すように、容器支持枠Ａは、ＰＰその他の透明または半透明な合成樹脂で形成され、上枠１と支柱２、底枠３とからなっている。
上枠１は、上端にフランジ４を突設した側周壁５からなり、フランジ４の所定の位置には、把手６が設けられており、側周壁５の下端からは、支柱２が垂設されている。
支柱２は、中央に突条７が突設された一定巾の接着部８によって構成されている。
底枠３は、支柱２の下端に連設され、容器の脚部９を形成する側周壁１０と底壁１１とからなっている。
【００１５】
容器支持枠Ａは、薄肉の合成樹脂で成形され、全体として、カバー体Ｂよりも軽量とすることが好ましい。
【００１６】
図４に示すように、カバー体Ｂは、裏面に容器支持枠と同材質の合成樹脂製のフィルム１２を接着した紙１３によって形成されており、筒状としたときの上端部の円周は、上枠１の側周壁５の円周より小さく、下端部の円周は、底枠３の側周壁１０の円周より小さくとっており、容器支持枠Ａに貼着したときに、側端縁１４ａ、１４ｂが支柱２の接着部８に貼着され、側端縁１４ａ、１４ｂとの間には、一定巾の隙間１５が形成され、突条７が嵌挿されている。
【００１７】
カバー体Ｂの一方の側端縁１４ａの下端には、タブ１６が形成されている。
タブ１６の位置は、側端縁１４ａの下端が最適であるが、側端縁の上端、或いは中間であってもよい。
カバー体Ｂの表面には、模様、表示等の印刷が施されている。
【００１８】
容器の成形は、射出成形金型の雌型の型面にカバー体Ｂを吸着し、次いで、容器支持枠Ａの型面を形成した雄型を型締めして、透明または半透明の合成樹脂を圧入することによってインモールド成形する。
その際、カバー体Ｂの側端縁の間の隙間によって、支柱２の突条７が形成され、雄型の型面によって接着部８が成形される。
【００１９】
成形にあたって、カバー体Ｂの裏面は、支持枠Ａと同材質の合成樹脂製のフィルム１２であるから、支柱２の接着部８、上枠１、底枠３の側周壁５、側周壁１０に強く接着され、また、支柱２の裏面を広げるように接着部８を形成することによって、カバー体Ｂとの接着面を広くし、接着性を高めることができる。
また、タブ１６の裏面は、他方の側端縁１４ｂの印刷面に接合しており、合成樹脂フィルムが積層されていても、接着性は弱くなっており、タブ１６を簡単に引き剥がすことができるようになっている。
【００２０】
次に、本発明容器の使用態様と作用効果について説明する。
本発明の容器は、飲料用容器として使用され、内容物を充填した後、フランジ４の上面にシールが貼着された後に、商品として店頭に陳列する。
その際、容器外からカバー体の側端縁の間の隙間１５を通じて、内容液の液面を視認することができる。
【００２１】
容器の使用にあたっては、シールを剥がして開蓋し、内容物を飲むことができる。
使用を終わった容器は、タブ１６を引張ることによって、まず、カバー体Ｂを支柱２から剥がし、次いで、上枠１、底枠３から剥離させ、簡単に分別廃棄することができる。
また、合成樹脂は、容器支持枠Ａとカバー体Ｂの紙に接着されたフィルムだけで、容器の大部分は紙製であるので、自治体によっては、分別せずに紙として廃棄することができる。
【実施例２】
【００２２】
前記実施例１では、容器は容器支持枠と紙製のカバー体によって構成していたが、本実施例は、容器を合成樹脂製の容器本体とカバー体によって構成したものである。
【００２３】
図６、７において、Ａａは容器本体、Ｂａはカバー体である。
容器本体Ａａは、透明、または半透明な合成樹脂で形成され、下方にいくに従って径が小さくなるテーパー状に形成された筒状の胴壁２０と、胴壁２０の内周下部に連設される底壁２１と、胴壁２０の外周上端に連設されるフランジ２２と、フランジ２２の所定個所に連設された把手２３とを具えている。
【００２４】
カバー体Ｂａは、前記第１実施例と同一であるので、同一の符号をもって図示し、説明を省略する。
【００２５】
容器の成形は、第１実施例と同様に行われ、カバー体Ｂａの隙間から突出した突条２４を有する合成樹脂製の容器本体Ａａと、紙製のカバー体Ｂａを貼着した容器を得ることができ、第１実施例と同様に、タブ１６を引張ることによって、カバー体Ｂａを容器本体Ａａから簡単に剥がすことができる。
【産業上の利用可能性】
【００２６】
本発明の容器は、合成樹脂製の容器支持枠にタブを具えた紙製カバー体を貼着し、タブを引張ることによりカバー体を容易に剥離できるようにしたので、分別廃棄が簡単にできるようになり、飲料用容器を始め、使い捨て容器に広く利用することができる。
【図面の簡単な説明】
【００２７】
【図１】本発明の第１実施例の容器の斜視図である。
【図２】容器の一部断面立面図である。
【図３】容器支持枠の斜視図である。
【図４】要部の説明図で、（ａ）は図２のＡ−Ａ線における拡大平面図、（ｂ）は図２のＢ−Ｂ線における拡大平面図である。
【図５】カバー体剥離時の斜視図である。
【図６】第２実施例の容器の斜視図である。
【図７】第２実施例の容器の説明図で、（ａ）は一部断面立面図、（ｂ）は図（ａ）のＡ−Ａ線における拡大平面図である。
【符号の説明】
【００２８】
Ａ          容器支持枠
Ａａ        容器本体
Ｂ          カバー体
１          上枠
２          支柱
３          底枠
４、２２    フランジ
５、１０    側周壁
６、２３    把手
７、２４    突条
８          接着部
９          脚部
１１、２１  底壁
１２        フィルム
１３        紙
１４ａ，ｂ  側端縁
１５        隙間
１６        タブ
２０        胴壁
【図１】
2007297064.tif 000003
【図２】
2007297064.tif 000004
【図３】
2007297064.tif 000005
【図４】
2007297064.tif 000006
【図５】
2007297064.tif 000007
【図６】
2007297064.tif 000008
【図７】
2007297064.tif 000009